(57)【要約】本発明は、通信システムにおける要求アプリケーション（クライアント）によるセルラー通信ネットワーク（ＧＬＭＣ、ＳＧＳＮ、ＭＳＣ、ＲＡＮ）への移動装置（ＵＥ）に関する情報要求をサポートする方法に関する。このような要求に関する移動装置への通知を高度化するために、要求アプリケーションの識別情報に使用するフォーマットの指示と共に要求アプリケーションの識別情報および／または要求エンティティの識別情報に使用するフォーマットの指示と共に要求アプリケーションを介して情報を要求する要求エンティティの識別情報を前記移動装置（ＵＥ）に提供する（ステップ４）ことを本方法が含むことを提案する。本発明は対応するネットワークエンティティ、セルラー通信ネットワーク、移動装置、通信システムおよびプロトコルにも関連する。
2005529566.tif 000002
【特許請求の範囲】
【請求項１】
通信システムにおいて要求アプリケーション（クライアント）によるセルラー通信ネットワーク（ＧＬＭＣ、ＳＧＳＮ、ＭＳＣ、ＲＡＮ）への移動装置（ＵＥ）に関する情報要求をサポートする方法であって、前記要求アプリケーション（クライアント）の識別情報に使用するフォーマットの指示と共に前記要求アプリケーション（クライアント）の前記識別情報および／または要求エンティティの識別情報に使用するフォーマットの指示と共に前記要求アプリケーションを介して前記情報を要求する前記要求エンティティの前記識別情報を前記移動装置（ＵＥ）に提供する（ステップ４）ことを含む方法。
【請求項２】
請求項１に記載の方法であって、前記要求アプリケーション（クライアント）の前記識別情報および前記要求アプリケーション（クライアント）の前記識別情報に使用するフォーマットの前記指示を、通知メッセージの各自の専用フィールドで前記移動装置（ＵＥ）に前記セルラー通信ネットワーク（ＲＡＮ）により送信する方法。
【請求項３】
請求項１または２に記載の方法であって、前記要求エンティティの前記識別情報および前記要求エンティティの前記識別情報に使用するフォーマットの前記指示を、通知メッセージの各自の専用フィールドで前記移動装置（ＵＥ）に前記セルラー通信ネットワーク（ＲＡＮ）により送信する方法。
【請求項４】
請求項１に記載の方法であって、前記要求アプリケーションの前記識別情報を通知メッセージのフィールドで前記移動装置に前記セルラー通信ネットワークにより送信し、前記要求アプリケーションの前記識別情報に使用するフォーマットの前記指示を前記要求アプリケーションの前記識別情報の符号化に採用する特定の符号化により付与し、特定の符号化を前記要求アプリケーションの前記識別情報に使用するフォーマットに依存して選択する方法。
【請求項５】
請求項１または４に記載の方法であって、前記要求エンティティの前記識別情報を通知メッセージのフィールドで前記移動装置に前記セルラー通信ネットワークにより送信し、前記要求エンティティの前記識別情報に使用するフォーマットの前記指示を前記要求エンティティの前記識別情報の符号化に採用する特定の符号化により付与し、特定の符号化を前記要求エンティティの前記識別情報に使用するフォーマットに依存して選択する方法。
【請求項６】
請求項１に記載の方法であって、前記要求アプリケーションの前記識別情報および前記要求アプリケーションの前記識別情報に使用するフォーマットの前記指示を通知メッセージの同じフィールドで前記移動装置に前記セルラー通信ネットワークにより送信する方法。
【請求項７】
請求項１または６に記載の方法であって、前記要求エンティティの前記識別情報および前記要求エンティティの前記識別情報に使用するフォーマットの前記指示を通知メッセージの同じフィールドで前記移動装置に前記セルラー通信ネットワークにより送信する方法。
【請求項８】
請求項１〜７のいずれか１項に記載の方法であって、前記移動装置（ＵＥ）への前記情報送信（ステップ４）に先立って、前記要求アプリケーション（クライアント）の前記識別情報および／または前記要求エンティティの前記識別情報を、前記要求アプリケーション（クライアント）の前記識別情報に使用するフォーマットの指示および／または前記要求エンティティの前記識別情報に使用するフォーマットの指示と共に前記セルラー通信ネットワーク内の異なるネットワークエンティティ（ＧＭＬＣ、ＳＧＳＮ、ＭＳＣ）間で転送する（ステップ２）方法。
【請求項９】
請求項８に記載の方法であって、前記要求アプリケーション（クライアント）の前記識別情報および前記要求アプリケーション（クライアント）の前記識別情報に使用するフォーマットの前記指示を、メッセージの各自の専用フィールドで前記異なるネットワークエンティティ間で送信する方法。
【請求項１０】
請求項８または９に記載の方法であって、前記要求エンティティの前記識別情報および前記要求エンティティの前記識別情報に使用するフォーマットの前記指示を、メッセージの各自の専用フィールドで前記異なるネットワークエンティティ間で送信する方法。
【請求項１１】
請求項８に記載の方法であって、前記要求アプリケーションの前記識別情報をメッセージのフィールドで前記異なるネットワークエンティティ間で送信し、前記要求アプリケーションの前記識別情報に使用するフォーマットの前記指示を前記要求アプリケーションの前記識別情報の符号化に採用する前記特定の符号化により付与し、特定の符号化を前記要求アプリケーションの前記識別情報に使用するフォーマットに依存して選択する方法。
【請求項１２】
請求項８または１１に記載の方法であって、前記要求エンティティの前記識別情報をメッセージのフィールドで前記異なるネットワークエンティティ間で送信し、前記要求エンティティの前記識別情報に使用するフォーマットの前記指示を前記要求エンティティの前記識別情報の符号化に採用する前記特定の符号化により付与し、特定の符号化を前記要求エンティティの前記識別情報に使用するフォーマットに依存して選択する方法。
【請求項１３】
請求項８に記載の方法であって、前記要求アプリケーションの前記識別情報および前記要求アプリケーションの前記識別情報に使用するフォーマットの前記指示を、メッセージの同じフィールドで前記異なるネットワークエンティティ間で送信する方法。
【請求項１４】
請求項８または１３に記載の方法であって、前記要求エンティティの前記識別情報および前記要求エンティティの前記識別情報に使用するフォーマットの前記指示を、メッセージの同じフィールドで前記異なるネットワークエンティティ間で送信する方法。
【請求項１５】
請求項１〜１４のいずれか１項に記載の方法であって、前記要求アプリケーション（クライアント）の前記識別情報および／または前記要求エンティティの前記識別情報を、前記要求アプリケーション（クライアント）の前記識別情報に使用するフォーマットの指示および／または前記要求エンティティの前記識別情報に使用するフォーマットの指示と共に前記要求アプリケーション（クライアント）によって前記セルラー通信ネットワーク（ＧＭＬＣ）に提供する（ステップ１）方法。
【請求項１６】
請求項１５に記載の方法であって、前記要求アプリケーション（クライアント）の前記識別情報および前記要求アプリケーション（クライアント）の前記識別情報に使用するフォーマットの前記指示を、前記要求アプリケーション（クライアント）によってメッセージの各自の専用フィールドで前記セルラー通信ネットワーク（ＧＭＬＣ）に提供する方法。
【請求項１７】
請求項１５または１６に記載の方法であって、前記要求エンティティの前記識別情報および前記要求エンティティの前記識別情報に使用するフォーマットの前記指示を、前記要求アプリケーション（クライアント）によってメッセージの各自の専用フィールドで前記セルラー通信ネットワーク（ＧＭＬＣ）に提供する方法。
【請求項１８】
請求項１５に記載の方法であって、前記要求アプリケーションの前記識別情報を前記要求アプリケーションによってメッセージのフィールドで前記セルラー通信ネットワークに提供し、前記要求アプリケーションの前記識別情報に使用するフォーマットの前記指示を前記要求アプリケーションの前記識別情報の符号化に採用する特定の符号化により付与し、特定の符号化を前記要求アプリケーションの前記識別情報に使用するフォーマットに依存して選択する方法。
【請求項１９】
請求項１５または１８に記載の方法であって、前記要求エンティティの前記識別情報を前記要求アプリケーションによってメッセージのフィールドで前記セルラー通信ネットワークに提供し、前記要求エンティティの前記識別情報に使用するフォーマットの前記指示を前記要求エンティティの前記識別情報の符号化に採用する特定の符号化により付与し、特定の符号化を前記要求エンティティの前記識別情報に使用するフォーマットに依存して選択する方法。
【請求項２０】
請求項１５に記載の方法であって、前記要求アプリケーションの前記識別情報および前記要求アプリケーションの前記識別情報に使用するフォーマットの前記指示を、前記要求アプリケーションによってメッセージの同じフィールドで前記セルラー通信ネットワークに提供する方法。
【請求項２１】
請求項１５または２０に記載の方法であって、前記要求エンティティの前記識別情報および前記要求エンティティの前記識別情報に使用するフォーマットの前記指示を、前記要求アプリケーションによってメッセージの同じフィールドで前記セルラー通信ネットワークに提供する方法。
【請求項２２】
請求項１〜２１のいずれか１項に記載の方法であって、前記要求された情報が前記移動装置（ＵＥ）に関する位置情報である方法。
【請求項２３】
セルラー通信ネットワーク（ＧＭＬＣ、ＳＧＳＮ、ＭＳＣ、ＲＡＮ）から移動装置（ＵＥ）に送信する通知メッセージを定義する移動サービス用プロトコルであって、通知メッセージが、要求アプリケーション（クライアント）による前記移動装置（ＵＥ）に関する情報要求について前記移動装置（ＵＥ）に知らせ、請求項１〜７のいずれか１項に従って、前記要求アプリケーション（クライアント）の識別情報を、前記要求アプリケーション（クライアント）の前記識別情報に使用するフォーマットの指示と共に送信すること、および／または前記要求アプリケーション（クライアント）を介して前記情報を要求する要求エンティティの識別情報を、前記要求エンティティの前記識別情報に使用するフォーマットの指示と共に送信することを定義するプロトコル。
【請求項２４】
請求項２３に記載のプロトコルであって、前記移動サービスが移動位置サービスであり、前記要求された情報が前記移動装置（ＵＥ）に関する位置情報であるプロトコル。
【請求項２５】
セルラー通信ネットワーク（ＧＭＬＣ、ＳＧＳＮ、ＭＳＣ、ＲＡＮ）の第１のネットワークエンティティ（ＧＭＬＣ）から前記セルラー通信ネットワーク（ＧＭＬＣ、ＳＧＳＮ、ＭＳＣ、ＲＡＮ）の第２のネットワークエンティティ（ＳＧＳＮ、ＭＳＣ）に送信するメッセージを定義する移動サービス用プロトコルであって、メッセージにより、前記第２のネットワークエンティティ（ＳＧＳＮ、ＭＳＣ）が要求アプリケーション（クライアント）による前記移動装置（ＵＥ）に関する情報要求について前記セルラー通信ネットワーク（ＲＡＮ）に接続された移動装置（ＵＥ）に知らせることを可能にし、請求項８から１４のいずれか１項に従って、前記要求アプリケーション（クライアント）の識別情報を、前記要求アプリケーション（クライアント）の前記識別情報に使用するフォーマットの指示と共に送信すること、および／または前記要求アプリケーション（クライアント）を介して前記情報を要求する要求エンティティの識別情報を、前記要求エンティティの前記識別情報に使用するフォーマットの指示と共に送信することを前記メッセージで定義するプロトコル。
【請求項２６】
請求項２５に記載のプロトコルであって、前記移動サービスが移動位置サービスであり、前記要求された情報が前記移動装置（ＵＥ）に関する位置情報であるプロトコル。
【請求項２７】
セルラー通信ネットワーク（ＧＭＬＣ、ＳＧＳＮ、ＭＳＣ、ＲＡＮ）から要求アプリケーション（クライアント）により移動装置（ＵＥ）に関する情報を要求するメッセージを定義する移動サービス用プロトコルであって、メッセージを前記要求アプリケーション（クライアント）から前記セルラー通信ネットワーク（ＧＭＬＣ）に送信し、メッセージにより、前記セルラー通信ネットワーク（ＧＭＬＣ、ＳＧＳＮ、ＭＳＣ、ＲＡＮ）が前記要求について前記移動装置（ＵＥ）に知らせることを可能にし、請求項１５から２１のいずれかに従って、前記要求アプリケーション（クライアント）の識別情報を、前記要求アプリケーション（クライアント）の前記識別情報に使用するフォーマットの指示と共に送信すること、および／または前記要求アプリケーション（クライアント）を介して前記情報を要求する要求エンティティの識別情報を、前記要求エンティティの前記識別情報に使用するフォーマットの指示と共に送信することを前記メッセージで定義するプロトコル。
【請求項２８】
請求項２７に記載のプロトコルであって、前記移動サービスが移動位置サービスであり、前記要求された情報が前記移動装置（ＵＥ）に関する位置情報であるプロトコル。
【請求項２９】
請求項１から１４のいずれか１項に従う方法のステップの実現手段を含むセルラー通信ネットワークのためのネットワークエンティティ（ＧＭＬＣ、ＳＧＳＮ、ＭＳＣ）。
【請求項３０】
請求項２９に記載のネットワークエンティティ（ＧＭＬＣ、ＳＧＳＮ、ＭＳＣ）であって、前記要求された情報が前記移動装置（ＵＥ）に関する位置情報であるネットワークエンティティ。
【請求項３１】
請求項１から１４のいずれか１項に従う方法のステップの実現手段を有するネットワークエンティティ（ＧＭＬＣ、ＳＧＳＮ、ＭＳＣ）を含むセルラー通信ネットワーク。
【請求項３２】
請求項３１に記載のセルラー通信ネットワークであって、前記要求された情報が前記移動装置（ＵＥ）に関する位置情報であるセルラー通信ネットワーク。
【請求項３３】
移動装置（ＵＥ）であって、
−セルラー通信ネットワーク（ＧＭＬＣ、ＳＧＳＮ、ＭＳＣ、ＲＡＮ）から要求アプリケーション（クライアント）の情報要求に関し、前記要求アプリケーション（クライアント）の識別情報を前記要求アプリケーション（クライアント）の前記識別情報に使用するフォーマットの指示と共におよび／または前記要求アプリケーション（クライアント）を介して前記情報を要求する要求エンティティの識別情報を、前記要求エンティティの前記識別情報に使用するフォーマットの指示と共に含む通知メッセージを受信する受信手段と、
−受信した通知メッセージからメッセージの含む要求アプリケーション（クライアント）および／または要求エンティティの識別情報を抽出し、前記受信した通知メッセージから前記メッセージの含む前記要求アプリケーション（クライアント）の識別情報および／または前記メッセージの含む要求エンティティの識別情報に使用するフォーマットに関する前記メッセージの含む指示を抽出し、前記識別情報のフォーマットの抽出した指示に従い抽出した識別情報を処理する処理手段と、
を含む移動装置。
【請求項３４】
請求項３３に記載の移動装置（ＵＥ）であって、前記要求された情報が前記移動装置（ＵＥ）に関する位置情報である移動装置。
【請求項３５】
請求項３１に記載のセルラー通信ネットワーク（ＧＭＬＣ、ＳＧＳＮ、ＭＳＣ、ＲＡＮ）、請求項３３に記載の移動装置（ＵＥ）および前記セルラー通信ネットワークから移動装置に関する情報を求める要求アプリケーション（クライアント）を含む通信システム。
【請求項３６】
請求項３５に記載の通信システムであって、前記要求された情報が前記移動装置（ＵＥ）に関する位置情報である通信システム。
【発明の詳細な説明】
【技術分野】
【０００１】
本発明は、通信システムにおける要求アプリケーションによるセルラー通信ネットワークへの移動装置に関する情報要求をサポートする方法に関する。要求アプリケーション自体により、あるいは要求アプリケーションを介して要求を送信する要求エンティティにより要求を開始することが出来る。本発明は移動サービス用プロトコル、セルラー通信ネットワーク用ネットワークエンティティ、セルラー通信ネットワーク、移動装置および通信システムにも関連する。
【背景技術】
【０００２】
セルラーネットワークでは、位置サービス（ＬＣＳ：ＬｏＣａｔｉｏｎ  Ｓｅｒｖｉｃｅｓ）を提供し、例えばネットワークに接続されたある移動装置の位置を要求することをアプリケーションによって可能にすることは既知である。
【０００３】
例えば、ＵＭＴＳ（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ；汎用移動通信システム）およびＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎｓ；グローバル移動通信システム）に対して、２００２年３月の技術仕様書３ＧＰＰＴＳ２３．２７１、Ｖ５．２．０「ＬＣＳに関する機能段階２の説明（５版）」は事業者、加入者および第３機関のサービス提供者に対して移動位置サービスをサポートする機構を提供する。この仕様書によれば、移動装置を有するＬＣＳクライアントあるいは、ＰＬＭＮ（Ｐｕｂｌｉｃ  Ｌａｎｄ  Ｍｏｂｉｌｅ  Ｎｅｔｗｏｒｋ；公衆地上移動ネットワーク）のコアネットワーク内のあるいはコアネットワークに付属するＬＣＳクライアントが移動装置の位置情報を要求し、位置情報の通知を受けることが出来る。このようなＬＣＳクライアントは、サービスあるいは運用の一部として位置情報を利用するエンティティを表すアプリケーションを構成する。ネットワーク外部のＬＣＳクライアントは位置要求をリクエスターと呼ぶ別の外部エンティティにより発生させることが出来る。リクエスターは人でもよい。
【０００４】
仕様書ＴＳ２３．２７１によれば、ＰＬＭＮは外部ＬＣＳクライアントに提供する位置サービスを処理する複数のＬＣＳエンティティを含む。これらＬＣＳエンティティは、特にゲートウエイ移動位置センタ（ＧＭＬＣ：Ｇａｔｅｗａｙ  Ｍｏｂｉｌｅ  Ｌｏｃａｔｉｏｎ  Ｃｅｎｔｅｒ）、２Ｇ（第２世代）ＭＳＣ（Ｍｏｂｉｌｅ  ｓｅｒｖｉｃｅｓ  Ｓｗｉｔｃｈｉｎｇ  Ｃｅｎｔｅｒ；移動サービス交換センター）、ＭＳＣサーバ、２ＧーＳＧＳＮ（Ｓｅｒｖｉｎｇ  ＧＰＲＳ（Ｇｅｎｅｒａｌ  Ｐａｃｋｅｔ  Ｒａｄｉｏ  Ｓｅｒｖｉｃｅ）Ｓｕｐｐｏｒｔ  Ｎｏｄｅ；サービス提供ＧＰＲＳ（汎用パケット無線サービス）サポートノード）、コアネットワークの３Ｇ（第３世代）ＳＧＳＮおよび、さらにアクセスネットワークＧＥＲＡＮ（ＧＳＭ  ＥＤＧＥ（Ｅｎｈａｎｃｅｄ  Ｄａｔａ  ｒａｔｅｓ  ｆｏｒ  ＧＳＭ  Ｅｖｏｌｕｔｉｏｎ）Ｒａｄｉｏ  Ａｃｃｅｓｓ  Ｎｅｔｗｏｒｋ；ＧＳＭエッジ（ＧＳＭ展開のための高速データ速度）無線アクセスネットワーク）およびＵＴＲＡＮ（Ｕｎｉｖｅｒａｌ  Ｔｅｒｒｅｓｔｒｉａｌ  Ｒａｄｉｏ  Ａｃｃｅｓｓ  Ｎｅｔｗｏｒｋ；汎用地上無線アクセスネットワーク）に位置することが出来る。
【０００５】
移動装置がＧＥＲＡＮあるいはＵＴＲＡＮを介してＰＬＭＮにアクセス中に、移動装置の位置を要求する外部ＬＣＳクライアントを、ＧＭＬＣを介してＰＬＭＮに接続することが出来る。回線交換サービスに対して、ＧＭＬＣを、２ＧーＭＳＣを介して対応するＧＥＲＡＮあるいはＭＳＣサーバを介して対応するＵＴＲＡＮに接続する。パケット交換サービスに対しては、ＧＭＬＣを、２ＧーＳＧＳＮを介して対応するＧＥＲＡＮあるいは３ＧーＳＧＳＮを介して対応するＵＴＲＡＮに接続する。
【０００６】
従って、ＧＳＭ  ＰＬＭＮにおいて外部ＬＣＳクライアントがアクセスする最初のノードであるＧＭＬＣはＨＬＲ（Ｈｏｍｅ  Ｌｏｃａｔｉｏｎ  Ｒｅｇｉｓｔｅｒ；ホーム位置レジスタ）あるいはＨＳＳ（Ｈｏｍｅ  Ｓｕｂｓｃｒｉｂｅｒ  Ｓｅｒｖｅｒ；ホーム加入者サーバ）から目的の移動装置に関する中継情報を要求することが出来る。登録認可の実行後、次にＧＭＬＣは要求されたＭＳＣ、ＳＧＳＮ、あるいはＭＳＣサーバに位置要求を転送する。ＭＳＣ、ＭＳＣサーバおよびＳＧＳＮは、移動装置の加入認可およびＬＣＳクライアントの位置要求の管理に対応する機能を含む。ＭＳＣあるいはＳＧＳＮによる要求に応じて、無線アクセスネットワークは使用する位置決定方法を定め、この方法のための特定のメッセージシーケンスを引き出す。次ぎに、ＭＳＣ、ＭＳＣサーバあるいはＳＧＳＮおよびＧＭＬＣを介して対応する無線アクセスネットワークにより選択した方法により獲得した最終位置推定値を要求ＬＣＳクライアントに返送する。
【０００７】
位置要求の過程で、目的とする移動装置を使用する加入者は、要求エンティティ、即ちリクエスター，および／または要求アプリケーション、即ちＬＣＳクライアントの識別情報を加入者に提示することを希望することがあり得る。仕様書ＴＳ２３．２７１では、提示する要求アプリケーションの識別情報を、送信するＬＣＳクライアント名に基づいて移動装置において決定することが出来る。ＬＣＳクライアントの外部識別情報に付随する論理名を構成するアドレスの列びとしてＬＣＳクライアント名を定義する。提示する要求アプリケーションの識別情報を、送信するリクエスターＩＤに基づいて移動装置において決定することが出来る。
【０００８】
提示する識別情報は加入者にとって唯一の情報となるデータを構成することが出来る。あるいは、加入者は提示された識別情報に基づいて位置要求を容認あるいは拒否することが出来る。仕様書ＴＳ２３．２７１によれば、この目的のために移動装置の加入者プロファイルは位置要求の場合に移動装置に通知する必要のあることを、あるいは秘匿性を確認した上で移動装置に通知する必要のあることを指示することが出来る。
【０００９】
ＬＣＳクライアント名およびリクエスターＩＤのフォーマットは定義しないので、ＬＣＳクライアント名およびリクエスターＩＤは、例えばＭＳＩＳＤＮ（Ｍｏｂｉｌｅ  Ｓｔａｔｉｏｎ  Ｉｎｔｅｇｒａｔｅｄ  Ｓｅｒｖｉｃｅｓ  Ｄａｔａ  Ｎｅｔｗｏｒｋ；移動局総合サービスデータネットワーク）番号、電子メールアドレスあるいはＵＲＬ（Ｕｎｉｖｅｒｓａｌ  Ｒｃｓｏｕｒｃｅ  Ｌｏｃａｔｏｒ；汎用リソースロケータ）アドレスであり得る。
【００１０】
しかしながら、移動装置は使用しうる異なるフォーマットを区別することが出来ず、これが原因となって問題が発生しうる。移動装置がＭＳＩＳＤＮ番号あるいは電子メールアドレスの形式でＬＣＳクライアント名あるいはリクエスターＩＤを受信する場合、移動装置は加入者のアドレス簿から加入者に提示する追加情報を検索することが出来る。しかし、受信するＬＣＳクライアント名および受信するリクエスターＩＤのフォーマットは移動装置には既知ではないので、移動装置は誤った場所で所望の情報を探索する恐れがある。例えば、まず移動装置は、ＭＳＩＳＤＮ番号あるいはＵＲＬアドレスを追加情報に関連させるディレクトリから、受信した電子メールアドレスに関連する追加情報の検索を試みる恐れがある。これは移動装置における機能不調につながる恐れがある。
【００１１】
ローカルデータの記録として移動装置に記憶する名刺では、電話番号を移動装置によって、例えば付随する文字「ｔｅｌ」によって認識することが出来、ファックス番号を付随する文字［ｆａｘ］によって認識することが出来る。通信ネットワークを介して他の端末に送信するデータ転送媒体、例えばＳＭＳに向けてこのような名刺を符号化することが出来る。また、ＶＣＡＲＤでは特別のフィールドを設け、ここである他のフィールドのフォーマットを指示する。例えば、第１のフィールドは電話番号を含み、一方第２のフィールドは第１のフィールドのフォーマットが電話番号であることの指示を含むことが出来る。しかしながら、ＬＣＳ通知の場合のように名刺およびＶＣＡＲＤはメタデータの提示あるいは伝送プロトコルには関係しない。
【発明の開示】
【００１２】
通信システムにおいてある要求アプリケーションによる移動装置への情報要求に関する通知を高度化することが本発明の目的である。特に、要求アプリケーションあるいは要求アプリケーションを介して情報を要求する要求エンティティに関する受信識別情報に基づいて移動装置がそのメモリから追加情報の検索を試行する時に、移動装置が起こりうるエラー事態を避けることを可能にすることが本発明の目的である。
【００１３】
本発明によれば、通信システムにおいて要求アプリケーションによる通信ネットワークへの移動装置に関する情報要求をサポートする方法によりこの目的を達成する。要求アプリケーションの識別情報と共にこの識別情報に使用するフォーマットの指示の移動装置への提供を本方法が含むことを提案する。要求アプリケーションの識別情報を、要求アプリケーションを実施するエンティティ全体に付随する識別情報によっても付与することが出来ることに注意すべきである。要求エンティティによって要求を開始する場合、さらにあるいは代わりにこの要求エンティティの識別に使用するフォーマットの指示と共に移動装置にこの要求エンティティの識別情報を送信することが出来る。
【００１４】
特に、提案する方法は移動サービス用通信プロトコルにより実現できる。従って、さらにセルラー通信ネットワークと移動装置との間の対応するメッセージを定義するプロトコル、同じく要求アプリケーションと通信ネットワークとの間の対応する先行メッセージおよび通信ネットワーク内の対応する先行メッセージを定義するプロトコルによって本発明の目的は達成される。特に、プロトコルはそれぞれのフォーマットの指示をそれぞれのメッセージに包含する方法を定義する。
【００１５】
また、本発明の目的は提案する方法の実現手段を含むセルラー通信ネットワーク用ネットワークエンティティおよびこのようなネットワークエンティティを含むセルラー通信ネットワークによっても達成される。
【００１６】
さらに、本発明の目的は、本方法の提供する情報を使用することの出来る移動装置により達成される。この目的のために移動装置は要求アプリケーションの情報要求に関する通知メッセージをセルラー通信ネットワークから受信する受信手段を含む。この通知メッセージは、要求アプリケーションの識別情報に使用するフォーマットの指示を伴う要求アプリケーションの識別情報および／または要求エンティティの識別に使用するフォーマットの指示を伴う要求アプリケーションを介して情報を要求する要求エンティティの識別情報を含む。さらに、移動装置は受信通知メッセージからメッセージが含む要求アプリケーションおよび／または要求エンティティの識別情報を抽出し、受信通知メッセージからメッセージが含む要求アプリケーションの識別情報および／またはメッセージが含む要求エンティティの識別情報に使用するフォーマットに関するメッセージが含む指示を抽出し、識別情報のフォーマットに関する抽出した指示に従い抽出した識別情報を処理する処理手段を含む。特に、このような処理は移動装置のメモリから補助情報の検索および移動装置のユーザへのこの情報の提示を含む。従って、本発明はメタデータの提示にも関する。
【００１７】
最後に、本発明の目的は、少なくとも提案する通信ネットワーク、提案する移動装置およびセルラー通信ネットワークから移動装置に関する情報を要求する要求アプリケーションを含む通信システムにより達成される。
【００１８】
本発明は、もし、移動装置に要求アプリケーションあるいは要求エンティティの識別情報に使用するフォーマットが既知であれば、追加情報を誤った場所で探すことを避けることが出来るという考えに由来する。さらに、本発明は要求アプリケーションの識別情報にあるいは要求エンティティの識別情報に単一のフォーマットのみを許容することは実行し得ないという考えに由来する。それ故、それぞれに採用するフォーマットを識別情報自体と共に、移動装置に利用可能とすることを提案する。
【００１９】
本発明の利点は、情報要求に関する通知の受信をサポートする移動装置の機能が改良されることである。特に、受信情報に付随する追加情報を移動装置のメモリの受信フォーマットに付随する正確な場所から直ちに検索できるので、起こりうるエラーの事態の量が削減する。また、その際移動装置の動作速度も増大する。さらに、本発明の利点は、メモリの正確な場所に受信した識別情報をセーブする、例えば受信した電子メールアドレスを電子メールディレクトリーの対応する人物名の下にセーブすることが出来ることである。
【００２０】
本発明の好ましい実施形態は従属する特許請求範囲から明らかになる。
【００２１】
本発明の第１の好ましい実施形態においては、それぞれの識別情報およびこの識別情報で採用するフォーマットに対応する指示を専用フィールドに入れて移動装置に送信する。現在では、通信ネットワークから移動装置に送信する通知メッセージは、通常要求アプリケーションの識別情報に１フィールドおよび要求エンティティの識別情報に１フィールドを含む。従って、要求アプリケーションの識別情報フォーマットに１つ、および要求エンティティの識別情報フォーマットに１つの、２つの特別フィールドをこのような通知メッセージに加えることを提案する。
【００２２】
本発明の第２の好ましい実施形態においては、要求アプリケーションの識別情報に採用する符号化および／または要求エンティティの識別情報に採用する符号化を各通知メッセージに対して選択し、移動装置がそれぞれの識別情報フォーマットを推測できるようにする。即ち、特定の種類の符号化あるいは前記特定の符号化パラメータをそれぞれの可能な種類のフォーマットあるいは少なくとも選択した可能な種類のフォーマットに採用する。
【００２３】
本発明の第３の好ましい実施形態においては、要求アプリケーションの識別情報の送信に採用するフィールドおよび／または要求エンティティの識別情報の送信に採用するフィールドを使用してそれぞれの識別情報フォーマットの指示を追加して含む情報として送信する。例えば、それぞれのフィールドの予め定めた位置のある文字により受信する移動装置に採用したフォーマットに関する情報を知らせることが出来る。
【００２４】
それぞれ使用するフォーマットの指示を移動装置に提供する第２および第３に提示した代替案には現行通知メッセージと比較して特別のフィールドを必要としない利点がある。
【００２５】
フォーマット情報を、有利には対応する識別情報と共に要求アプリケーションにより提供し、通信ネットワークのネットワーク要素によりユーザに転送する。特に、ネットワーク内では外部の要求アプリケーションのためのネットワークのアクセスノードのネットワークエンティティから移動装置にメッセージの送信を開始することの出来るネットワークエンティティに情報を送信する必要がある。フォーマットの指示を要求アプリケーションからメッセージで提供し、ネットワーク内では例えば移動装置への通知メッセージに提案したのと同じようにメッセージでフォーマットの指示を提供することが出来る。
【００２６】
システムのセルラーネットワークに接続された移動装置に関する情報のアプリケーションによる要求をサポートするあらゆるセルラーシステム、例えば米国で採用するＡＮＳＩ（Ａｍｅｒｉｃａｎ  Ｎａｔｉｏｎａｌ  Ｓｔａｎｄａｒｄｓ  Ｉｎｓｔｉｔｕｔｅ；アメリカ国家標準局）ネットワークにおいて本発明を採用することが出来る。
【００２７】
移動装置に関して要求される情報は、好ましくは移動装置に関する位置情報であり、可能となる移動サービスは、好ましくは位置サービスである。さらに、本発明は位置サービス以外の他のサービスおよび位置情報の要求以外の他の要求に等しく使用することが出来る。
【００２８】
本発明を３ＧＰＰ通信システムにおいて採用する場合、要求アプリケーション、即ちＬＣＳクライアントの識別情報フォーマットの指示、および／または要求エンティティ、即ちリクエスターの識別情報フォーマットの指示を、特にＬＣＳクライアントからＧＭＬＣへは既存の「ＬＣＳサービス要求」で送信することが出来、ＧＭＬＣからＭＳ、ＭＳＣサーバあるいはＳＧＳＮへは既存の「加入者位置の提供」メッセージで送信することが出来、ＭＳＣ、ＭＳＣサーバあるいはＳＧＳＮから移動装置へは既存の「ＬＣＳ位置通知依頼」メッセージで送信することが出来る。
【００２９】
さらに、本発明を、要求される情報を決定するあらゆる方法と結合して採用することが出来る。例えば、要求される位置情報を完全にセルラーシステム内で決定することが出来る。しかしながら、移動装置が位置アプリケーションあるいは位置決めアプリケーション、例えばグローバル位置決めシステム（ＧＰＳ：Ｇｌｏｂａｌ  Ｐｏｓｉｔｉｏｎｉｎｇ  Ｓｙｓｔｅｍ）アプリケーションを含む場合、移動装置によって独立にあるいは通信ネットワークによる支援によって位置情報を決定することも出来る。
【００３０】
本発明の他の目的および特徴は添付の図面と共に考慮する以下の詳細な説明から明らかになろう。唯一の図面は本発明の実施形態に採用する信号授受を説明する。
【発明を実施するための最良の形態】
【００３１】
以下に説明する本発明による方法の実施形態は３ＧＰＰ通信システムのパケット交換部分で実施される。通信システムはＰＬＭＮ並びにユーザ装置およびネットワークにアクセスするＬＣＳクライアントを含む。ＬＣＳクライアントはユーザ装置の位置に関する操作情報を要求する。
【００３２】
図１は通信システムにおけるＬＣＳ関連の情報伝送を示す。図は回線交換サービスあるいはパケット交換サービスのためのＰＬＭＮ外部のＬＣＳクライアントに対して一般的なネットワークによる位置の決定を説明する上述の仕様書ＴＳ２３．２７１の図面に基づいている。
【００３３】
図１で、５つの垂直線があり、左から右に向かってＬＣＳクライアント、ＧＭＬＣ、ＳＧＳＮあるいはＭＳＣ、ＲＡＮおよびユーザ装置ＵＥを表す。ＧＭＬＣ、ＳＧＳＮおよびＲＡＮは通信システムのＰＬＭＮの部分である。例えば、ＳＧＳＮは２ＧーＳＧＳＮであり、ＭＳＣはＭＳＣサーバであり、ＲＡＮはＵＴＲＡＮであり得る。ＬＣＳクライアントはアプリケーションであり、このアプリケーションはＰＬＭＮからユーザ装置の位置に関する情報を要求するのに適している。例えば、「友人を探す」というアプリケーションがあり、これは位置サービスとしてフィンランドの事業者Ｓｏｎｅｒａが提供している。ＬＣＳクライアントによる要求をリクエスター、即ち要求エンティティにより開始することが出来る。例えば、このようなリクエスターは「友人を探す」ＬＣＳクライアントを使用する人であり得る。ユーザ装置ＵＥはＲＡＮを介してＰＬＭＮにアクセスする移動装置である。垂直線の間の矢印は異なるエンティティ間の情報伝送を表す。
【００３４】
リクエスターがあるユーザ装置の位置に関する情報を希望する場合、リクエスターは第１のステップ１でＬＣＳクライアントを介して「ＬＣＳサービス要求」をＧＭＬＣに送信する。本発明の提示する実施形態では、この要求はリクエスターＩＤ、例えば人名を有するフィールドおよびクライアントの識別に適するＬＣＳクライアント名を有するフィールドを含む。さらに、要求はリクエスターＩＤに採用するフォーマットを示すフィールドおよびＬＣＳクライアント名に採用するフォーマットを示すフィールドを含む。
【００３５】
「ＬＣＳサービス要求」を受信すると、ＧＭＬＣはＬＣＳクライアントの身元と要求するＬＣＳサービスへの加入を確認する。さらに、位置決めすべき目的のユーザ装置ＵＥのアドレスおよびＬＣＳサービス品質（ＱｏＳ）を加入者データあるいはＬＣＳクライアントの提供するデータから引き出す。次に、ステップ２でＧＭＬＣは「加入者位置の提供」メッセージをその時点でユーザ装置ＵＥが所属するＳＧＳＮに送信する。また、このメッセージはリクエスターＩＤを有するフィールド、ＬＣＳクライアント名を有するフィールド、リクエスターＩＤのフォーマットを示すフィールドおよびＬＣＳクライアント名のフォーマットを示すフィールドを含む。
【００３６】
ステップ３で、ＳＧＳＮ／ＭＳＣはＲＡＮを介してユーザ装置ＵＥを呼び出す「ＵＥ呼び出し」手順を開始する。これによりユーザ装置ＵＥは次に来る可能性のある位置サービスのための準備を開始することが出来る。
【００３７】
位置要求が付加価値ＬＣＳクライアントから来る場合、ユーザ装置ＵＥの加入プロファイルがユーザ装置ＵＥに通知あるいは秘匿性の確認を伴う通知の必要性を示す場合、およびユーザ装置ＵＥが対応する通知をサポートする場合には、さらに通知メッセージをユーザ装置ＵＥに送信しなければならない。
【００３８】
前述の状況では、前述の条件を満足すると想定され、さらに秘匿性の確認が要求されると想定される。従って、ステップ４でＳＧＳＮは「ＬＣＳ位置通知依頼」メッセージを、ＲＡＮを介してユーザ装置ＵＥに送信する。また、このメッセージはリクエスターＩＤを有するフィールド、ＬＣＳクライアント名を有するフィールド、リクエスターＩＤに採用するフォーマットを示すフィールド、およびＬＣＳクライアント名に採用するフォーマットを示すフィールドを含む。また、このメッセージは、位置要求に秘匿性の確認が必要である、即ちユーザ装置ＵＥはＬＣＳクライアントに位置情報を提供することに同意することも、しないことも出来ることをユーザ装置ＵＥに知らせる。
【００３９】
ユーザ装置ＵＥは受信した「ＬＣＳ位置通知依頼」メッセージから情報を抽出することが出来るソフトウエアを含む。抽出したフォーマット情報に基づいて、ユーザ装置ＵＥは提供されたリクエスターＩＤのタイプおよび提供されたクライアント名のタイプを決定する。結果として、ユーザ装置ＵＥは受信した識別情報をこの識別情報フォーマットに提供されたディレクトリの対応する情報と直ちに比較することが出来る。例えば、フォーマット情報が、リクエスター識別情報が電子メールアドレスであることを示す場合、ユーザ装置ＵＥはこの電子メールアドレス、例えば電子メールアドレスを有する人名に利用可能な付加情報をメモリの電子メールディレクトリから直接検索することが出来る。つぎに、検索した情報をユーザ装置ＵＥの表示装置上でユーザに提示する。検索した情報に基づいて、ユーザ装置ＵＥあるいはユーザ装置ＵＥのユーザはユーザ装置ＵＥの位置を要求エンティティに提示すべきかの判断をすることが出来る。
【００４０】
ステップ５で、ユーザ装置ＵＥは「ＬＣＳ位置通知返信結果」のメッセージを、ＲＡＮを介してＳＧＳＮに返信することが出来る。このメッセージはユーザ装置ＵＥが位置情報をＬＣＳクライアントに転送することに同意することの是非を示す。
【００４１】
ステップ６で、ＳＧＳＮ／ＭＳＣは「位置要求」メッセージをＲＡＮに送信し、その際
ＲＡＮからユーザ装置ＵＥの位置に関する情報を要求する。
【００４２】
「位置要求」メッセージを受信すると、ＲＡＮは既にユーザ装置の位置に関する知識を有することが出来る。あるいは、次にＲＡＮは選択した位置決め法が提供する位置測定に基づいて位置の推定値を計算することが出来る。さらにまた、ユーザ装置ＵＥは独立の位置機能、例えばＧＰＳに基づく機能を含むことが出来、従って、その位置をＲＡＮに独立して報告することが出来る。また、独立位置機能を持つユーザ装置ＵＥは、この位置機能を支援するＲＡＮが同報送信する情報を使用することが出来る。
【００４３】
満足な位置情報が得られると、ステップ７でＲＡＮはこの位置情報を「位置レポート」メッセージでＳＧＳＮ／ＭＳＣに提供する。もし、位置推定値が得られなければ、ＲＡＮは位置推定値の代わりに失敗の理由を含む「位置レポート」メッセージを返信する。
【００４４】
ステップ８で、ＳＧＳＮ／ＭＳＣが情報提供の許可を認めることを示す「ＬＣＳ位置通知返信結果」を受信する場合、ＳＧＳＮ／ＭＳＣは受信した位置情報およびその時期を「加入者位置の提供確認」メッセージでＧＭＬＣに転送する。そのような許可を認めないことを示す「ＬＣＳ位置通知返信結果」メッセージを受信する場合、あるいはＵＥ加入プロファイルが位置通知に反対を示し、「ＬＣＳ位置通知依頼」メッセージに対して応答がない場合、ＳＧＳＮ／ＭＳＣはＧＭＬＣにエラー応答を返信する。
【００４５】
最後にステップ９で、ＧＭＬＣがユーザ装置ＵＥの位置情報を要求ＬＣＳクライアントに送信する。つぎに、ＬＣＳクライアントはこの情報をリクエスターに提供する。
【００４６】
説明した伝送情報は付加情報を含むことが出来、ある伝送情報を異なる順序で実行することが出来、異なるエンティティは位置要求の処理の間にタスクを追加して実行することが出来ることが分かる。
【００４７】
さらに、説明した実施形態は本発明の数々の可能な実施形態の１つのみを構成するに過ぎないことに注意すべきである。
【図面の簡単な説明】
【００４８】
【図１】通信システムにおけるＬＣＳ関連の情報伝送を示す図である。
【図１】
2005529566.tif 000003
【国際調査報告】
2005529566.tif 000004
2005529566.tif 000005
2005529566.tif 000006